(57)【要約】      （修正有）【課題】従来の布屑引導装置は、布屑を引導除去する効用になるが、引導装置の移動に、確実にできなく、長時間使用となれば、ますます布屑の除去も満足にできなくなる。以上の問題を解決する摺動自在脱着便利の布屑引導装置を提供する。【解決手段】移動式布屑引導装置の構造は、１つの引導管１と、１つの引導托管２で構成され、引導管には、１つの積み込め部１１、布屑吸収入口でありと、１つの直管部１２、凸透体１３に挿入取り付け、挿入深さより高さ調整され、引導托管には、巻き導管２３と、ダブルレール引導托板２１でなり、ダブルレール引導托板には、２つのレールで、引導管の底板１４を摺動できるようにあわせ、さらに、固定板２２を設け、引導管を脱落しないように摺動を制限し、引導管の底板は段階状で、ダブルレール引導托板のレールに密着嵌め付ける。【選択図】図１
0003160857.tif 000002
【実用新案登録請求の範囲】
【請求項１】
移動式布屑引導装置であって、その構造は、１つの引導管と、１つの引導托管で構成され、引導管には、１つの積み込め部、布屑吸収入口でありと、１つの直管部、凸透体に挿入取り付け、挿入深さより高さ調整られとなり、引導托管には、巻き導管と、ダブルレール引導托板でなり、ダブルレール引導托板には、２つのレールで、引導管の底板を摺動できるようにあわせ、さらに、固定板を設け、引導管を脱落しないように摺動を制限し、引導管の底板は段階状で、ダブルレール引導托板のレールに密着嵌め付け、摺動自在脱著便利であることで構成されることを特徴とする移動式布屑引導装置。
【請求項２】
前記移動式布屑引導装置は引導管と引導托管で構成され、引導管の底板と、ダブルレール引導托板のレールは嵌め付けで構成されることを特徴とする請求項１に記載の移動式布屑引導装置。
【請求項３】
前記底板が引導托板のレールに密着嵌め付け、摺動自在脱著便利であることを特徴とする請求項１に記載の移動式布屑引導装置。
【請求項４】
前記移動式布屑引導装置は引導托板のレールと引導管の底板のマッチで移動を行うことを特徴とする請求項１に記載の移動式布屑引導装置。
【考案の詳細な説明】
【技術分野】
【０００１】
この考案はミシン作動に発生された布屑をまとまるに使用する布屑引導装置に関する。
【背景技術】
【０００２】
従来の布屑引導装置は、引導管と、引導托管で構成される。引導托管と傍に設けた、螺設の活動板或いは引導托板で、布屑引導装置を移動させる（中華民国特許公報Ｍ３４０２９５号、Ｍ３５１８８２号）。
前述従来の引導装置は、部材が密着取り付けできないので、長時間経ってば、緩みを生じ、布屑を有効的に除去できなく、周辺まで汚れになって、作業員に影響を及ぼす。
【考案の開示】
【考案が解決しようとする課題】
【０００３】
前述従来の布屑引導装置は、布屑を引導除去する効用になるが、引導装置の移動に、確実にできなく、長時間使用となれば、ますます布屑の除去も満足にできなくなる。
この考案は、以上の問題を解決する、摺動自在脱著便利の布屑引導装置を提供することを課題とする。
【課題を解決するための手段】
【０００４】
そこで、本考案者は従来の技術に見られる欠点に鑑み鋭意研究を重ねた結果、移動式布屑引導装置の構造は、１つの引導管と、１つの引導托管で構成され、引導管には、１つの積み込め部、布屑吸収入口でありと、１つの直管部、凸透体に挿入取り付け、挿入深さより高さ調整られとなり、引導托管には、巻き導管と、ダブルレール引導托板でなり、ダブルレール引導托板には、２つのレールで、引導管の底板を摺動できるようにあわせ、さらに、固定板を設け、引導管を脱落しないように摺動を制限し、引導管の底板は段階状で、ダブルレール引導托板のレールに密着嵌め付け、摺動自在脱著便利であることで構成される
【考案の効果】
【０００５】
この考案によれば、布屑引導装置は、引導管の底板と、ダブルレール引導托板のレールを嵌め付けで構成されるので、装置の移動は迅速と密着になり、底板の脱著が便利ので、部材の保全も容易となる。
【実施例】
【０００６】
図１に、この考案の移動式布屑引導装置の実施例より構造の説明図を開示する。図面によれば、この考案による移動式布屑引導装置１００の構造は、１つの引導管１と、１つの引導托管２で構成される、引導管１には、１つの積み込め部１１、布屑吸収入口でありと、１つの直管部１２、凸透体１３に挿入取り付け、挿入深さより高さ調整られとなり、引導托管２には、巻き導管２３と、ダブルレール引導托板２１でなり、ダブルレール引導托板２１には、レール２４と、レール２５で、引導管１の底板１４を摺動できるようにあわせ、さらに、固定板２２を設け、引導管１を脱落しないように摺動を制限し、引導管１の底板１４は段階状で、ダブルレール引導托板２１のレール２４とレール２５に密着嵌め付け、摺動自在脱著便利であることで構成される。
図２に、この考案の移動式布屑引導装置の実施例より構造の斜視図を開示する。図面によれば、この考案による移動式布屑引導装置１００の構造は、引導管１と、引導托管２で構成され、引導管１の底板１４を、引導托管２のレール２４，２５に嵌め付けで、移動式布屑引導装置となる。
図３に、この考案の移動式布屑引導装置の実施例より組立の説明図を開示する。図面によれば、この考案による移動式布屑引導装置１００は、ミシン布台３に取り付けて、作動することである。
図４，５に、この考案の移動式布屑引導装置の実施例より作動の説明図を開示する。図面によれば、この考案による移動式布屑引導装置１００は、底板１４を、ダブルレール引導托板２１のレール２４とレール２５に密着嵌め付け、摺動自在脱著便利であることで構成される。
【図面の簡単な説明】
【０００７】
【図１】この考案の移動式布屑引導装置の構造の説明図である。
【図２】この考案の移動式布屑引導装置の構造の斜視図である。
【図３】この考案の移動式布屑引導装置の組立の説明図である。
【図４】この考案の移動式布屑引導装置の作動１の説明図である。
【図５】この考案の移動式布屑引導装置の作動２の説明図である。
【符号の説明】
【０００８】
１００     移動式布屑引導装置
１         引導管
１１       積み込め部
１２       直管部
１３       凸透体
１４       底板
２         引導托管
２１       ダブルレール引導托板
２２       固定板
２３       巻き導管
２４       レール
２５       レール
３         ミシン布台
【図１】
0003160857.tif 000003
【図２】
0003160857.tif 000004
【図３】
0003160857.tif 000005
【図４】
0003160857.tif 000006
【図５】
0003160857.tif 000007
【手続補正書】
【提出日】平成22年1月14日(2010.1.14)
【手続補正１】
【補正対象書類名】実用新案登録請求の範囲
【補正対象項目名】請求項１
【補正方法】変更
【補正の内容】
【請求項１】
移動式布屑引導装置であって、その構造は、１つの引導管と、１つの引導托管で構成され、引導管には、１つの積み込め部、布屑吸収入口でありと、１つの直管部、凸透体に挿入取り付け、凸透体に挿入の深さより布屑吸収入口の高さ調整られとなり、引導托管には、巻き導管と、ダブルレール引導托板でなり、ダブルレール引導托板には、２つのレールで、引導管の底板を摺動できるようにあわせ、さらに、固定板を設け、引導管を脱落しないように摺動を制限し、引導管の底板は段階状で、ダブルレール引導托板のレールに密着嵌め付け、摺動自在脱着便利であることで構成されることを特徴とする移動式布屑引導装置。
【手続補正２】
【補正対象書類名】実用新案登録請求の範囲
【補正対象項目名】請求項３
【補正方法】変更
【補正の内容】
【請求項３】
前記底板が引導托板のレールに密着嵌め付け、摺動自在脱着便利であることを特徴とする請求項１に記載の移動式布屑引導装置。
【手続補正書】
【提出日】平成22年5月6日(2010.5.6)
【手続補正１】
【補正対象書類名】実用新案登録請求の範囲
【補正対象項目名】全文
【補正方法】変更
【補正の内容】
【実用新案登録請求の範囲】
【請求項１】
エルボの一端の開口部を布屑の入口とし、該開口部に当止部を形成し、かつ該エルボの他端に垂直管を連結し、該垂直管の下端を、中央の位置に直径が該垂直管の内径と同様の孔部を穿設したベースプレート上に設けた支持バンドに挿入して構成したガイド部と、
長手方向に凹溝を形成し、該凹溝の対向する内壁にそれぞれレール溝を形成してレールを形成し、該レールに該ベースプレートを挿入して摺動自在に設け、かつ該レールプレートの一端に、該ベースプレートが該レールから外れることを防ぐストッパーを着脱自在に設けたレールプレートと、該レールプレートに、ほぼ９０度に湾曲した排出管を設けてなる排出部と、によってなることを特徴とするスライド式布屑ガイド装置。
【請求項２】
前記ガイド部の該垂直管の下端を該支持バンドに挿入する長さを調整することによって、該ガイド部の開口の高さを調整することを特徴とする請求項１に記載のスライド式布屑ガイド装置。
【請求項３】
前記ベースプレートが矩形を呈し、かつ周辺に段差を形成し、該段差部が該レールプレートの該レールに挿入して、該ベースプレートを摺動自在に設けることを特徴とする請求項１に記載のスライド式布屑ガイド装置。
【手続補正２】
【補正対象書類名】明細書
【補正対象項目名】全文
【補正方法】変更
【補正の内容】
【考案の詳細な説明】
【技術分野】
【０００１】
この考案はミシンに関し、特にミシン縫いの際に発生する布屑を排出するための布屑ガイド装置に関する。
【背景技術】
【０００２】
目下、多くのミシンには、布屑を吸入して排出するとともに、糸屑の発生を防ぐ装置が開発されている。台湾実用新案公告Ｍ３４０２９５号には、発生した布屑を排出するためのガイド装置が開示されている。該ガイド装置は、布屑をガイドするガイド管と、布屑を排出する排出管とを具えてなる。
【０００３】
該ガイド管は下端が垂直管に連結し、該垂直管の一端が、支持バンドを設けたスライド板に接続する、該垂直管の一端を該支持バンドに挿入する長さを調整することによって、該ガイド管の高さを調整することができる。
【０００４】
該スライド板はミシンの一方の側に螺着する。該スライド板がスライドすることによって、該ガイド管と該排出管との位置を互いに離すことができる。
【０００５】
上述する構成によって、取り外しが容易で、高さを調整でき、かつ布屑、糸屑を効率よく排出することができる。
【０００６】
また、台湾実用新案公告Ｍ３５１８８２号にも、発生した布屑を排出するためのガイド装置が開示されている。該ガイド装置は、。該ガイド装置は、布屑をガイドするガイド管と、布屑を排出する排出管とを具えてなる。
【０００７】
該ガイド管は下端が垂直管に連結し、該垂直管の一端が、支持バンドを設けた可動板に接続する、該垂直管の一端を該支持バンドに挿入する長さを調整することによって、該ガイド管の高さを調整することができる。
【０００８】
該可動板は支持軸を介してガイド板に回動自在に設けられ、かつ該支持軸によって回転して該ガイド板から離れる。
【０００９】
上述する構成によって、メンテナンス、もしくは取り外しが容易で、ミシンの縫い線を容易に移すことのできる。
【００１０】
しかしながら、これら従来の装置は、やはり改善すべき点を有する、例えば、使用期間が長くなると、部材が老化し、部材間の密接度が低下する。部材が完全に密接しなくなると、ミシンで作業を行う場合、布屑を効率よく排除することができなくなる。ここから、ミシンを使用する意欲にまで影響を及ぼす。
【先行技術文献】
【非特許文献】
【００１１】
【非特許文献１】台湾実用新案公告Ｍ３４０２９５号公報
【非特許文献２】台湾実用新案公告Ｍ３５１８８２号公報
【考案の概要】
【考案が解決しようとする課題】
【００１２】
この考案は、ミシンの布屑を排出するためのガイド装置であって、布屑を吸引するガイド管と、吸引した布屑を排出する排出管とが密接に合わさり、かつ容易に離すことができ、メンテナンス、もしくは取り外しに便利で、ミシンの操作に影響しないスライド式布屑ガイド装置を提供することを特徴とする。
【課題を解決するための手段】
【００１３】
そこで、本考案者は従来の技術に見られる欠点に鑑み鋭意研究を重ねた結果、エルボの一端の開口部を布屑の入口とし、該開口部に当止部を形成し、かつ該エルボの他端に垂直管を連結し、該垂直管の下端を、中央の位置に直径が該垂直管の内径と同様の孔部を穿設したベースプレート上に設けた支持バンドに挿入して構成したガイド部と、
長手方向に凹溝を形成し、該凹溝の対向する内壁にそれぞれレール溝を形成してレールを形成し、該レールに該ベースプレートを挿入して摺動自在に設け、かつ該レールプレートの一端に、該ベースプレートが該レールから外れることを防ぐストッパーを着脱自在に設けたレールプレートと、該レールプレートに、ほぼ９０度に湾曲した排出管を設けてなる排出部と、によってなるスライド式布屑ガイド装置によって課題を解決できる点に着眼し、係る知見に基づいて本考案を慣性させた。
【００１４】
以下この考案について説明する。
請求項１に記載するスライド式布屑ガイド装は、エルボの一端の開口部を布屑の入口とし、該開口部に当止部を形成し、かつ該エルボの他端に垂直管を連結し、該垂直管の下端を、中央の位置に直径が該垂直管の内径と同様の孔部を穿設したベースプレート上に設けた支持バンドに挿入して構成したガイド部と、
長手方向に凹溝を形成し、該凹溝の対向する内壁にそれぞれレール溝を形成してレールを形成し、該レールに該ベースプレートを挿入して摺動自在に設け、かつ該レールプレートの一端に、該ベースプレートが該レールから外れることを防ぐストッパーを着脱自在に設けたレールプレートと、該レールプレートに、ほぼ９０度に湾曲した排出管を設けてなる排出部と、によってなる。
【００１５】
請求項２に記載するスライド式布屑ガイド装置は、請求項１におけるガイド部の該垂直管の下端を該支持バンドに挿入する長さを調整することによって、該ガイド部の開口の高さをを調整する。
【００１６】
請求項３に記載する記載のスライド式布屑ガイド装置は、請求項１におけるベースプレートが矩形を呈し、かつ周辺に段差を形成し、該段差部が該レールプレートの該レールに挿入して、該ベースプレートを摺動自在に設ける。
【図面の簡単な説明】
【００１７】
【図１】この考案によるスライド式布屑ガイド装置の構造を示した説明図である。
【図２】図１に開示するスライド式布屑ガイド装置を組み立てた状態を示した斜視図である。
【図３】この考案によるスライド式布屑ガイド装置をミシンに設けた状態を示した説明図である。
【図４】この考案によるスライド式布屑ガイド装置の使用態様を示した説明図である。
【図５】この考案によるスライド式布屑ガイド装置の使用態様を示した他の説明図である。
【考案を実施するための形態】
【００１８】
この考案は、布屑を吸引するガイド管と、吸引した布屑を排出する排出管とが密接に合わさり、かつ容易に離すことができ、メンテナンス、もしくは取り外しに便利で、ミシンの操作に影響しないスライド式布屑ガイド装置を提供するものであって、エルボの一端の開口部を布屑の入口とし、該開口部に当止部を形成し、かつ該エルボの他端に垂直管を連結し、該垂直管の下端を、中央の位置に直径が該垂直管の内径と同様の孔部を穿設したベースプレート上に設けた支持バンドに挿入して構成したガイド部と、
長手方向に凹溝を形成し、該凹溝の対向する内壁にそれぞれレール溝を形成してレールを形成し、該レールに該ベースプレートを挿入して摺動自在に設け、かつ該レールプレートの一端に、該ベースプレートが該レールから外れることを防ぐストッパーを着脱自在に設けたレールプレートと、該レールプレートに、ほぼ９０度に湾曲した排出管を設けてなる排出部と、によってなるスライド式布屑ガイド装置によって構成する。
かかるスライド式布屑ガイド装置の構造と特徴を詳述するために、具体的な実施例を挙げ、図面を参照にして以下に説明する。
【実施例】
【００１９】
図１に開示するように、この考案によるスライド式布屑ガイド装置１００は、ガイド部１と、排出部２とによってなる。
【００２０】
ガイド部１はエルボの一端の開口部を布屑の入口とし、該開口部に当止部１１を形成し、該エルボの他端に垂直管１２を連結し、垂直管１２の下端をベースプレート１４上に設けた支持バンド１３に挿入して構成する。
【００２１】
垂直管１２の下端を支持バンド１３に挿入する長さを調整することによって、布屑の入り口の高さを異なる機種のミシンに合わせて調整することができる。
【００２２】
ベースプレート１４は、矩形を呈し、中央の位置に、直径が垂直管１２の内径と同様の孔部を形成するとともに、周辺に段差を形成する。
【００２３】
排出部２は、レールプレート２１と、ほぼ９０度に湾曲した排出管２３とによってなる。
【００２４】
レールプレート２１は、長手方向に凹溝を形成し、該凹溝の対向する内壁にそれぞれレール溝を形成してレール２４、２５を形成し、ベースプレート１４の周辺の段差を形成した部分を挿入して、ベースプレート１４を摺動自在に設ける。また、レールプレート２１の一端には、ベースプレート１４がレール２３、２４から外れることを防ぐストッパー２２を着脱自在に設ける。したがって、ベースプレート１４の位置をレールプレート２１上で容易に移動させることができ、かつ必要に応じてガイド部を取り外してメンテナンスを行うことができる。また、糸屑、布屑を効率よく排出できるのみならず、ミシンの縫い線を移す場合に便利である。
【００２５】
図２は、上述する構造のスライド式布屑ガイド装置１００を組み立てた状態を示した斜視図である。図面に開示するように、スライド式布屑ガイド装置１００は、ガイド部１と、排出部２とによってなり、レールプレート２１にレール２４、２５を形成してガイド部１のベースプレート１４を摺動自在に設ける。
【００２６】
図３は、実施例におけるスライド式布屑ガイド装置１００をミシンに設けた状態を示した説明図である。図面によれば、スライド式布屑ガイド装置１００は、ミシンテーブル３に設ける。
【００２７】
図４、５は、実施例におけるスライド式布屑ガイド装置１００の使用態様を示した説明図である。図面に開示するように、スライド式布屑ガイド装置１００は、レールプレート２１にレール２４、２５を形成してガイド部１のベースプレート１４を摺動自在に設ける。よって、ベースプレート１４の位置をレールプレート２１上で容易に移動させることができ、かつ必要に応じてガイド部を取り外してメンテナンスを行うことができる。また、糸屑、布屑を効率よく排出できるのみならず、ミシンの縫い線を移す場合に便利である。
【符号の説明】
【００２８】
１ ガイド部
１１ 当止部
１２ 垂直管
１３ 支持バンド
１４ ベースプレート
２ 排出部
２１ レールプレート
２２ ストッパー
２３ 排出管
２４ レール
２５ レール
３   ミシンテーブル